(57)【要約】【課題】対物レンズ内の温度分布の不均一により、対物レンズのレンズ特性が劣化する。【解決手段】ディスクと対向する対物レンズと、固定部と、前記固定部と４本以上の長手状弾性部材で懸架され、対物レンズを支持するボビンと、を備え、前記ボビンの前記対物レンズ配置面の図芯に対して１８０゜点対称のコイルペアが複数存在し、前記複数のコイルペアは、同一面には配置されないことを特徴とするアクチュエータ。【選択図】　図４
2004110985.tif 000002
【特許請求の範囲】
【請求項１】
ディスクと対向する対物レンズと、
固定部と、
前記固定部と４本以上の長手状弾性部材で懸架され、対物レンズを支持するボビンと、を備え、
前記ボビンの前記対物レンズ配置面の図芯に対して１８０゜点対称のコイルペアが複数存在し、
前記複数のコイルペアは、同一面には配置されないことを特徴とするアクチュエータ。
【請求項２】
前記複数のコイルの各々は、前記対物レンズの光軸と各コイルの中心とを結んだ線が対物レンズ外縁部と交わる点において、その点の温度及び熱流速が等しくなるような電力を発することを特徴とする請求項１記載のアクチュエータ。
【請求項３】
前記各コイルペアの対象軸が、前記対物レンズの光軸と一致していることを特徴とする請求項１又は２記載のアクチュエータ。
【請求項４】
前記各コイルは、前記対物レンズの光軸に対して同一距離だけ離間して配置されることを特徴とする請求項１又は２記載のアクチュエータ。
【請求項５】
前記複数のコイルは、フォーカスコイル又はトラッキングコイルであることを特徴とする請求項１乃至４の何れか記載のアクチュエータ。
【請求項６】
前記複数のコイルは、すべて直列に接続されていることを特徴とする請求項１乃至４の何れか記載のアクチュエータ。
【請求項７】
前記ボビンは、４以上の偶数個の側面を有し、
前記複数のコイルは、各側面に交互に配置されたフォーカスコイルとトラッキングコイルを有することを特徴とする請求項１または２記載のアクチュエータ。
【請求項８】
前記フォーカスコイル又はトラッキングコイルの一方に通電する間に、前記フォーカスコイル又はトラッキングコイルの他方に所定の電流を加えた駆動電流を流すことを特徴とする請求項７記載のアクチュエータ。
【請求項９】
ディスクと対向する対物レンズと、
第１の側面と、前記第一の側面と対向する第２の側面とを有し、
前記対物レンズを支持するボビンと、
第１の側面と、前記第１の側面と対向する第２の側面とを有し、前記対物レンズを支持するボビンと、
前記第１の側面上に配置された第１コイルと第２コイルと、
前記第２の側面上に配置された第３コイルと第４コイルと、を備え、
前記第１コイル及び第３コイルは、前記対物レンズの光軸上の点を中心としてそれぞれ点対称位置に配置され、かつ互いに電気的に接続されており、
前記第２コイル及び第４コイルは、前記光軸上の点を中心としてそれぞれ点対称位置に配置され、かつ互いに電気的に接続されていることを特徴とするアクチュエータ。
【請求項１０】
前記第１コイル及び前記第３コイルは、フォーカスコイル及びトラッキングコイルの一方であり、前記第２コイル及び前記第４コイルは、フォーカスコイル及びトラッキングコイルの他方であることを特徴とする請求項９記載のアクチュエータ。
【請求項１１】
前記フォーカスコイル及びトラッキングコイルの一方に通電する間に、前記フォーカスコイル及びトラッキングコイルの他方に所定の電流を加えた駆動電流を流すことを特徴とする請求項１０記載のアクチュエータ。
【請求項１２】
前記ボビンを移動可能に固定する固定部を有することを特徴とする請求項９乃至１１の何れか記載のアクチュエータ。
【請求項１３】
請求項１乃至１２の何れか記載のアクチュエータを有するピックアップ装置。
【発明の詳細な説明】
【０００１】
【発明の属する技術分野】
本発明は、ピックアップ装置及びピックアップ装置内で用いられるアクチュエータに関する。
【０００２】
【従来の技術】
ＣＤやＤＶＤ等の光ディスクに記録された情報を再生するピックアップ装置が知られている。このピックアップ装置は、対物レンズを介して光ディスクに所定波長のレーザビームを照射し、光ディスク上で反射したレーザビームを受光素子で受光することにより、光ディスク上に書き込まれた情報を読み取るための装置である。
【０００３】
ピックアップ装置は、光ディスクの反りや振れに対して光ディスクの情報記録面と対物レンズとの距離を制御するフォーカシング制御を行うと共に、光ディスクの情報トラックの偏心に対して対物レンズを追従制御するトラッキング制御を行っている。これにより、レーザビームを所望のトラック上に照射し、光ディスクに記録された情報を正確に読み取っている。
【０００４】
このフォーカシング制御及びトラッキング制御を行うアクチュエータは、その可動部を有する。可動部は、対物レンズ、対物レンズを支持するボビン、ボビン上に配置された複数のコイル、ボビンを移動可能に保持する線状弾性部材等から構成される。各コイルには、適切な量の電流が流され、コイルを流れる電流とコイル近傍に形成された磁場との相互作用によりフォーカス方向又はトラッキング方向にボビンとともに対物レンズの位置を微少変位させて、フォーカシング制御又はトラッキング制御が行われる。一般に、このアクチュエータは、感度の向上、レンズのダイナミックチルトの低減、不要共振の抑制等を考慮し最適設計が為されている。
【０００５】
【発明が解決しようとする課題】
しかしながら、コイルに通電を行うとコイルが発熱してしまい、熱がボビンを介して対物レンズに伝導する。この対物レンズに伝導した熱は、対物レンズ内の温度分布を不均一にしてしまい、温度分布の不均一により対物レンズの屈折率を場所毎に異ならせてしまう。これにより、対物レンズ全体のレンズ特性、特にＡＳ収差が発生してしまい、ディスク上の情報を正確に読み取ることが困難になってしまう。これは、特に、プラスチック等の熱による物性値の変化が大きい素材のレンズを用いた場合に顕著となる。
【０００６】
このＡＳ収差の発生による光ディスクからの検出信号に与える影響は、光ディスクが高密度で高倍速になるに従い大きくなり、著しく検出信号を劣化させる。従って、今後期待される光ディスクの高密度化、及び、高倍速化を図るためには、この温度分布の不均一を無視することはできない。
【０００７】
本発明が解決しようとする課題としては、上述したように、対物レンズ内の温度分布の不均一により、対物レンズのレンズ特性が劣化するという問題が一例として挙げられる。
【０００８】
【課題を解決するための手段】
本発明の請求項１記載のアクチュエータは、ディスクと対向する対物レンズと、固定部と、前記固定部と４本以上の長手状弾性部材で懸架され、対物レンズを支持するボビンと、を備え、前記ボビンの前記対物レンズ配置面の図芯に対して１８０゜点対称のコイルペアが複数存在し、前記複数のコイルペアは、同一面には配置されない。
【０００９】
また、本発明の請求項９記載のアクチュエータは、ディスクと対向する対物レンズと、第１の側面と、前記第一の側面と対向する第２の側面とを有し、前記対物レンズを支持するボビンと、第１の側面と、前記第１の側面と対向する第２の側面とを有し、前記対物レンズを支持するボビンと、前記第１の側面上に配置された第１コイルと第２コイルと、前記第２の側面上に配置された第３コイルと第４コイルと、を備え、前記第１コイル及び第３コイルは、前記対物レンズの光軸上の点を中心としてそれぞれ点対称位置に配置され、かつ互いに電気的に接続されており、前記第２コイル及び第４コイルは、前記光軸上の点を中心としてそれぞれ点対称位置に配置され、かつ互いに電気的に接続されている。
【００１０】
【発明の実施の形態】
以下、本発明に係る実施形態について詳細に説明する。
【００１１】
（第１実施形態）
以下、本発明に係る第１実施形態のピックアップ装置を説明する。本実施形態のピックアップ装置に係るアクチュエータは、ディスクと対向する対物レンズと、固定部と、固定部と４本以上の長手状弾性部材で懸架され、対物レンズを支持するボビンと、を備え、前記ボビンの前記対物レンズ配置面の図芯に対して１８０゜点対称のコイルペアが複数存在し、前記複数のコイルペアは、同一面には配置されていないものである。以下、図面を参照しながら詳細に説明する。
【００１２】
図１は、本発明に係る第１実施形態のピックアップ装置１を示す斜視図である。このピックアップ装置１は、光ディスクを記録再生できる光ディスク装置内部に配置される。ピックアップ装置１は、ガイドシャフト３，３上に移動可能に配置されたピックアップボディ２と、ピックアップポディ２上に固定配置されたアクチュエータ６とを備えている。ピックアップ装置１は、スピンドル４を介して回転可能に構成されたディスク載置部４ａ上に載置された光ディスク５の記録面と対向している。
【００１３】
図２は、アクチュエータ６の拡大斜視図である。また、図３は、アクチュエータ６の分解斜視図である。アクチュエータ６は、ヨーク１０と、ヨーク１０上に固定配置されたアクチュエータ固定部２０と、ヨーク１０及びアクチュエータ固定部２０に関し微少変位可能に構成されたアクチュエータ可動部３０とを有している。
【００１４】
ヨーク１０上には、一対の磁石部材１１がアクチュエータ可動部３０を挟むようにディスク円周方向に沿って対向配置されている。
【００１５】
図４は、アクチュエータアクチュエータ固定部２０とアクチュエータ可動部３０の分解斜視図である。アクチュエータ可動部３０は、４本の長手状弾性部材２１ａ〜２１ｄによりアクチュエータ固定部２０に接続されている。これらの長手状弾性部材２１ａ〜２１ｄは、アクチュエータ可動部３０を光ディスク５に近づく方向（以下、フォーカス方向）及び光ディスク５の径方向（以下、トラッキング方向）に微少変位可能に保持している。また、これらの長手状弾性部材２１ａ〜２１ｄは、導電性の素材から構成されアクチュエータ可動部３０に電力を供給する配線としても機能する。長手状弾性部材２１ａ〜２１ｄのアクチュエータ固定部２０側端部は、それぞれアクチュエータ固定部２０に形成された配線パターンに半田付けされており、駆動源から電力を長手状弾性部材２１ａ〜２１ｄを介してアクチュエータ可動部３０に供給可能に構成されている。
【００１６】
アクチュエータ可動部３０は、対物レンズ３１、ボビン３２、トラッキングコイル３３ａ〜３３ｄ、フォーカスコイル３４、及び、カバー３５ａ及び３５ｂにより構成されている。ボビン３２は、上面視正方形状であり、かつ外形が概ね直方体形状の樹脂製の部材で構成されており、内部に中空が形成されている。ボビン３２は、４つの側面３２ａ〜３２ｄを有している。ボビン３２は、側面３２ａ及び３２ｃが光ディスク５の径方向（トラッキング方向）に、そして側面３２ｂ及び３２ｄが光ディスク５の周方向にそれぞれほぼ直交するように配置されている。
【００１７】
また、ボビン３２の上面には、対物レンズ３１がボビン上面図芯と対物レンズ光軸が一致するように接着固定されている。対物レンズ３１は、上面視円形形状を有し、ボビン３２の下方に位置する図視せぬ光源から出射した所定の波長の光を絞り込み、光ディスク５の情報記録面上に形成されたトラックに沿って照射する。また、対物レンズ３１は、光ディスク５の情報記録面にて反射した光を透過し、図示せぬ受光素子を有する受光部に送る。
【００１８】
ボビン３２の各側面３２ａ〜３２ｄ上には、４つのトラッキングコイル３３ａ〜３３ｄがそれぞれ配置されている。これらのトラッキングコイル３３ａ〜３３ｄのうちトラッキングコイル３３ａと３３ｃ及び３３ｂと３３ｄは、それぞれペアになっていて、ボビンの上面の図芯に対して１８０゜の点対称となっており、各コイルは同一の面には配置されないようになっている。各トラッキングコイル３３ａ〜３３ｄは、直列に接続されている。
【００１９】
トラッキングコイル３３ａと３３ｃは、同一線径で同一の直流抵抗となるように同一巻数で巻回されている。同様にトラッキングコイル３３ｂと３３ｄのコイルは同一線径で同一の直流抵抗となるように、同一巻数で巻回されている。トラッキングコイル３３ａと３３ｃの抵抗値とトラッキングコイル３３ｂと３３ｄの抵抗値の比は、ボビン３２と各コイル３３ａ〜３３ｄの接触面から流入する熱量がすべて同一となるように決定されている。
【００２０】
図５は、トラッキングコイル３３に流れる電流方向と磁石により形成された磁束の方向を示す図であり、図６は、アクチュエータ可動部３０と磁石の関係を示す図である。図５において、トラッキングコイル３３ａ〜３３ｄの巻回方向に沿ってコイル上に描かれた細矢印は、各コイル３３ａ〜３３ｄを流れる電流の方向を、アクチュエータ可動部３０の光軸方向に平行な成分に直交するｘ方向に平行な中太矢印は、磁石が形成する磁束の方向を、そしてｙ方向に平行な白抜き太矢印は、アクチュエータに加わるローレンツ力の方向、即ちトラッキング制御におけるアクチュエータ可動部３０の駆動方向を示している。
【００２１】
図６（ａ）は、アクチュエータ可動部３０の上面図、図６（ｂ）は、アクチュエータ可動部３０を図６（ａ）の矢印Ａの方向から見た側面図、図６（ｃ）は、トラッキングコイル３３ｄに対向配置される磁石部材１１の磁極形成パターンを示す図、図６（ｄ）は、アクチュエータ可動部３０を図６（ａ）の矢印Ｂの方向から見た側面図、図６（ｅ）は、トラッキングコイル３３ｂに対向配置される磁石部材１１の磁極形成パターンを示す図である。各磁石部材の磁極の表示は、コイル近接面上の磁極を表示している。よってＮ極の表示は、紙面手前から奥に向かって磁力線が伸びる磁極であることを示している。各磁石部材１１のＮ極１１ａおよびＳ極１１ｂは、トラッキングコイル３３ｂ及び３３ｄの長手方向のほぼ中央で区切られて配置されており、図５の中太矢印で示す磁束線が各トラッキングコイル３３ａ〜３３ｄを横切るように構成されている。
【００２２】
アクチュエータ可動部３０のトラッキング制御においては、各トラッキングコイル３３ａ〜３３ｄに電流が流れると各コイル３３ａ〜３３ｄを横切る磁束線と電流の相互作用により駆動力が発生する。図５に示されるように、各コイル３３ａ〜３３ｄに流れる電流は、アクチュエータ可動部３０に対し同一方向に駆動力を発生させるように流される。アクチュエータ可動部３０は、この電流の流れる方向によりトラッキング方向に往復駆動する。
【００２３】
また、各トラッキングコイル３３ａから３３ｄの下方には、一つのフォーカスコイル３４が各側面３２ａ〜３２ｄを跨って各側面上に巻回されている。フォーカスコイル３４の巻回方向は、フォーカス方向に対して垂直となるように配置されている。このフォーカスコイル３４のうち、側面３２ｂ及び３２ｄ上に位置するコイル成分は、磁石部材１１のＮ極１１ａが形成する磁場成分に直交している。フォーカスコイル３４に電流を流すと、対応するコイル成分を流れる電流と磁石部材１１のＮ極が形成する磁場成分と間に相互作用が生じ、電流の流れる方向に応じてアクチュエータ可動部３０をフォーカス方向に往復移動させる。
【００２４】
本実施形態において、各トラッキングコイル３３ａ〜３３ｄは、直列に接続されているので、導通時には各コイル３３ａ〜３３ｄに同一の電流が流される。トラッキングコイル３３ａと３３ｃの抵抗値とトラッキングコイル３３ｂと３３ｄの抵抗値の比は、ボビン３２と各コイル３３ａ〜３３ｄの接触面から流入する熱量がすべて同一となるように決定されているため、各コイル３３ａ〜３３ｄからの流入する熱量は、同一となり、対物レンズにほぼ同じ割合で熱伝導する。よって、各コイル３３ａ〜３３ｄの配置に依存する対物レンズの温度分布の不均一が抑制・解消され、対物レンズの収差特性の劣化が抑制される。
【００２５】
また、本実施形態では、フォーカスコイル３４は、各側面３２ａ〜３２ｄを跨って各側面上に巻回されている。従って、フォーカスコイル３４に電流を流すと、各側面に発生する熱量はほぼ均一となり、フォーカスコイル３４に起因する対物レンズ３１の温度分布の不均一性は発生しにくい。よって、対物レンズ３１のレンズ特性の劣化が抑制される。
【００２６】
従って、本実施形態によれば、光ディスクが高密度で高倍速となっても、検出信号が劣化することなく安定して光ディスクの再生動作を行うことが可能となる。
【００２７】
なお、本実施形態においては、トラッキングコイル３３ａ〜３３ｄの内、トラッキングコイル３３ｂ及びトラッキングコイル３３ｄの短片部分のみが、磁場と相互作用するように構成してよい。このように構成した場合であっても、正常にトラッキングを行うことが可能である。
【００２８】
なお、本実施形態では、ボビンの素材は樹脂製であるとしたが、熱伝導性が高い樹脂から構成されることが好ましい。ここで、熱伝導性が高いとは、方向によらず対物レンズ３１に同一量の熱が伝導する、すなわち、対物レンズ３１の円周方向温度分布がほぼ均一となる程度にボビン３２の対物レンズ支持部の温度がほぼ均一となる程度の熱伝導性を有していることを指す。このようなボビンを用いることにより、対物レンズ３１の温度分布の不均一性がさらに発生しにくくなり、対物レンズ３１のレンズ特性の劣化が効果的に抑制される。
【００２９】
なお、本実施形態では、ボビン３２の対物レンズ配置面の図芯と、対物レンズの光軸は一致しているとしたが、これに限らず、一致していない場合でも、ペアコイルの対物レンズに近い位置にあるコイルの接触面からボビンに流入する熱量が、他方のそれと一致するような直流抵抗比とすることで、同様の効果を得ることができる。
【００３０】
図７（ａ）及び（ｂ）は、本実施形態の第１変形例のアクチュエータ可動部５０を示す上面図及び斜視図である。アクチュエータ可動部５０は、対物レンズ５１、ボビン５２、トラッキングコイル５３ａ〜５３ｄ、及びフォーカスコイル５４ａ〜５４ｄから構成される。
【００３１】
本変形例のアクチュエータ可動部５０は、第１実施形態のアクチュエータ可動部３０に配置されたフォーカスコイル３４を各側面に配置された４つのフォーカスコイル５４ａ〜５４ｄで置き換えたものと透過である。アクチュエータ可動部５０では、ボビン５２の対物レンズ配置面の図芯と対物レンズ５１の光軸が一致している。よって、フォーカスコイル５４ａと５４ｃは、同一線径で同一の直流抵抗となるように、同一巻数で巻回されている。同様に、フォーカスコイル５４ｂと５４ｄは、同一線径で同一の直流抵抗となるように、同一巻数で巻回されている。また、ボビンと各フォーカスコイルの接触面から流入する熱量は、すべて同一となるように、フォーカスコイル５４ａ，５４ｃの抵抗値と、フォーカスコイル５４ｂ，５４ｄの抵抗値の比を決定する。また、フォーカスコイル５４ａ〜５４ｄは、直列に接続されている。
【００３２】
このアクチュエータ可動部５０は、フォーカシング制御時には、４つのフォーカスコイル５４ａ〜５４ｄに同一の電流が流れるが、ボビン５２に各フォーカスコイル５４ａ〜５４ｄから流入する熱量は等しいので、対物レンズ５１の温度分布の不均一が抑制される。また、トラッキング制御時には、４つのトラッキングコイル５３ａ〜５３ｄに同一の電流が流れるが、ボビンに対して各トラッキングコイル５３ａ〜５３ｄから流入する熱量は等しいので、対物レンズ５１の温度分布の不均一が抑制される。このように、第１実施形態のアクチュエータ可動部３０の代わりに、アクチュエータ可動部５０を用いても、第１実施形態と同様の効果が得られる。
【００３３】
図８（ａ）及び（ｂ）は、本実施形態の第２変形例のアクチュエータ可動部６０を示す上面図及び斜視図である。アクチュエータ可動部６０は、対物レンズ６１、ボビン６２、トラッキングコイル６３ａ〜６３ｆ、及びフォーカスコイル６４ａ〜６４ｆから構成される。
【００３４】
ボビン６２は、上面視六角形状を有する、六角柱状の部材であり、上面に対物レンズ６１が配置されている。ボビンの上面の図芯と対物レンズの光軸は一致している。各側面には、一つずつフォーカスコイルと、トラッキングコイルが配置されている。トラッキングコイル６３ａと６３ｄ、６３ｂと６３ｅ、６３ｃと６３ｆは、それぞれペアとなっており、夫々ボビンの上面の図芯すなわち対物レンズの光軸を中心とする１８０°の点対称である。また、各ペアコイルは同一線径で同一の直流抵抗となるように、同一巻数で巻回されている。またボビンと各トラッキングコイル６３ａ〜６３ｄの接触面からボビンに流入する熱量が全て同一となるように、トラッキングコイルのペア６３ａと６３ｄ、６３ｂと６３ｄ、及び６３ｅと６３ｆの各抵抗値の比は決定されている。
【００３５】
フォーカスコイル６４ａと６４ｄ、６４ｂと６４ｅ、６４ｃと６４ｆは、トラッキングコイルと同様に、それぞれペアとなっており、夫々ボビンの上面の図芯すなわち対物レンズの光軸を中心とする１８０°の点対称である。また、各ペアコイルは、同一線径で同一の直流抵抗となるように、同一巻数で巻回されている。またボビンと各トラッキングコイル６３ａ〜６３ｄの接触面からボビンに流入する熱量が全て同一となるように、トラッキングコイルのペア６３ａと６３ｄ、６３ｂと６３ｄ、及び６３ｅと６３ｆの各抵抗値の比は決定されている。
【００３６】
このアクチュエータ可動部６０は、フォーカシング制御時に６つのフォーカスコイルに同一の電流が流れるが、ボビンに対して各フォーカスコイルから流入する熱量は等しいので、対物レンズ６１の温度分布の不均一が抑制される。同様にトラッキング制御時に６つのトラッキングコイルに同一の電流が流れるが、ボビンに対して各トラッキングコイルから流入する熱量は等しいので、対物レンズ６１の温度分布の不均一が抑制される。このように、第１実施形態のアクチュエータ可動部３０の代わりに、アクチュエータ可動部６０を用いても、第１実施形態と同様の効果が得られる。
【００３７】
（第２実施形態）
以下、本発明に係る第２実施形態のピックアップ装置を説明する。本実施形態のピックアップ装置に係るアクチュエータは、ディスクと対向する対物レンズと、固定部と、前記固定部と４本以上の長手状弾性部材で懸架され、対物レンズを支持するボビンと、を備える。ボビンの前記対物レンズ配置面の図芯に対して１８０゜点対称のコイルペアが複数存在し、前記複数のコイルペアは、同一面には配置されない構造を有する。複数のコイルの各々は、対物レンズ光軸とコイル中心を結んだ線が対物レンズ外縁部と交わる点において、その点の温度及び熱流速が等しくなるような電力を発する。また、ボビンは、４以上の偶数個の側面を有し、複数のコイルは、各側面に交互に配置されたフォーカスコイルとトラッキングコイルを有する。そして、フォーカスコイル又はトラッキングコイルの一方に通電する間には、フォーカスコイル又はトラッキングコイルの他方に所定の電流を加えた駆動電流が流される。以下、図面を参照しながら詳細に説明する。
【００３８】
図９は、本発明に係る第２実施形態のピックアップ装置１００を示す斜視図である。本実施形態においては、第１実施形態で用いた部材と同一の部材については、同一の符号を付し、部材についての詳細な説明を省略する。
【００３９】
ピックアップ装置１００は、ヨーク１０と、ヨーク１０上に配置されたアクチュエータ固定部２０と、ヨーク１０及びアクチュエータ固定部２０に関し微少変位可能に構成されたアクチュエータ可動部７０とを有している。ここでは、アクチュエータ固定部２０とアクチュエータ可動部７０が、ピックアップ装置１００のアクチュエータを構成している。
【００４０】
ヨーク１０上には、一対の磁石部材１１がアクチュエータ可動部７０を挟むようにディスク円周方向に沿って対向配置されている。
【００４１】
図１０は、アクチュエータ固定部２０とアクチュエータ可動部７０の分解斜視図である。アクチュエータ可動部７０は、４本の長手状弾性部材２１ａ〜２１ｄによりアクチュエータ固定部２０に接続されている。これらの長手状弾性部材２１ａ〜２１ｄは、アクチュエータ可動部７０を光ディスク５に近づく方向（以下、フォーカス方向）及び光ディスク５の径方向（以下、トラッキング方向）にアクチュエータ可動部７０を微少変位可能に保持している。また、これらの長手状弾性部材２１ａ〜２１ｄは、導電性の素材から構成されアクチュエータ可動部７０に電力を供給する配線としても機能する。長手状弾性部材２１ａ〜２１ｄのアクチュエータ固定部２０側端部は、それぞれアクチュエータ固定部２０に形成された配線パターンに半田付けされており、駆動源から電力を長手状弾性部材２１ａ〜２１ｄを介してアクチュエータ可動部７０に供給可能に構成されている。
【００４２】
図１１は、アクチュエータ可動部７０の概略構成を示す上面図である。アクチュエータ可動部７０は、対物レンズ７１、ボビン７２、トラッキングコイル７３ａ，７３ｂ、フォーカスコイル７４ａ，７４ｂ、及び、カバー７５ａ，７５ｂにより構成されている。
【００４３】
ボビン７２は、上面視正方形状であり、かつ外形が概ね直方体形状の樹脂製の部材で構成されており、内部に中空が形成されている。ボビン７２は、４つの側面７２ａ〜７２ｄを有し、側面７２ａ及び７２ｃが光ディスク５の径方向（トラッキング方向）に、そして側面７２ｂ及び７２ｄが光ディスク５の周方向にそれぞれほぼ直交するように配置されている。
【００４４】
また、ボビン７２の上面には、対物レンズ７１がボビン上面図芯と対物レンズ光軸が一致するように接着固定されている。対物レンズ７１は、上面視円形形状を有し、ボビン７２の下方に位置する図視せぬ光源から出射した所定の波長の光を絞り込み、光ディスク５の情報記録面上に形成されたトラックに沿って照射する。また、対物レンズ７１は、光ディスク５の情報記録面にて反射した光を透過し、図示せぬ受光素子を有する受光部に送る。
【００４５】
ボビン７２の側面７２ａ，７２ｃ上には、トラッキングコイル７３ａ，７３ｃが配置されている。また、ボビン７２の側面７２ｂ，７２ｄ上には、フォーカスコイル７４ａ，７４ｂが配置されている。すなわち、ボビン７２の隣接する側面には、アクチュエータ可動部７０の異なる方向への移動に寄与するコイルが配置されている。トラッキングコイル７３ａと７３ｃ、及び、フォーカスコイル７４ａと７４ｂは、それぞれペアとなっており、ボビン７２の上面の図心に対して１８０゜の点対称となっている。トラッキングコイル７３ａと７３ｃ、及び、フォーカスコイル７４ａと７４ｂは、それぞれ直列に接続されている。
【００４６】
トラッキングコイル７３ａと７３ｂは、同一線径で同一の直流抵抗となるように同一巻数で巻回されている。同様に、フォーカスコイル７４ａと７４ｂは、同一線径で同一の直流抵抗となるように、同一巻数で巻回されている。トラッキングコイル７３ａと７３ｂの抵抗値と、フォーカスコイル７４ａと７４ｂの抵抗値の比は、ボビン３２と各コイル７３ａ，７３ｂ，７４ａ，７４ｂとの接触面から流入する熱量がすべて同一となるように決定されている。
【００４７】
図１２（ａ）は、アクチュエータ可動部７０の上面図、図１２（ｂ）は、アクチュエータ可動部７０を図１２（ａ）の矢印Ａの方向から見た側面図、図１２（ｃ）は、フォーカスコイル７４ａに対向配置される磁石部材１１１の磁極形成パターンを示す図、図１２（ｄ）は、アクチュエータ可動部７０を図１２（ａ）の矢印Ｂの方向から見た側面図、そして図１２（ｅ）は、フォーカスコイル７４ｂに対向配置される磁石部材１１１の磁極形成パターンを示す図である。図１２（ｃ）及び図１２（ｅ）の磁極の表示は、磁石部材１１１のコイル近接面上の磁極を示している。各磁石部材１１１は、Ｎ極１１１ａが、トラッキングコイル７３ａ、７３ｂの短片部分に対向し、かつ各フォーカスコイル７４ａ，７４ｂの２つの周方向成分が異なる磁極と対向するように配置されている。
【００４８】
トラッキングコイル７３ａ，７３ｂの短片部分は、磁石部材１１１が形成する磁場成分に直交する方向にコイル線が配置されている。トラッキングコイル７３ａ及び７３ｂに電流を流すと、各コイルの短片部分を流れる電流と磁石部材１１１が形成する磁場成分の相互作用により駆動力が生じる。各トラッキングコイル７３ａ及び７３ｂに流れる電流は、アクチュエータ可動部７０に対し同一方向に駆動力を発生させるように流される。アクチュエータ可動部７０は、この電流の流れる方向によりトラッキング方向に往復駆動する。
【００４９】
フォーカスコイル７４ａ，７４ｂの長片部分は、磁石部材１１１が形成する磁場成分に直交する方向にコイル線が配置されており、トラッキングコイル７４ａ及びトラッキングコイル７４ｃに電流を流すことにより、各コイルの長片部分を流れる電流と磁石部材１１１が形成する磁場成分の相互作用により駆動力が生じる。各フォーカスコイル７４ａ及び７４ｂに流れる電流は、アクチュエータ可動部７０に対し同一方向に駆動力を発生させるように流される。アクチュエータ可動部７０は、この電流の流れる方向によりフォーカス方向に往復駆動する。
【００５０】
本実施形態において、トラッキングコイル７３ａ，７３ｂは、直列に接続されているので、導通時には、各コイル７３ａ，７３ｂに同一の電流が流される。また、フォーカスコイル７４ａ，７４ｂは、直列に接続されているので、導通時には、各コイル７４ａ，７４ｂに同一の電流が流れる。
【００５１】
一般的に、フォーカス制御量に対応するディスク１の面振れ量、及びトラッキング制御量に対応するトラック偏心量がどちらかだけゼロであることはあり得ない。従って、通常のフォーカス制御、トラッキング制御を行う場合、トラッキングコイル７３ａ，７３ｂ及びフォーカスコイルに７４ａ，７４ｂには、何らかの制御電流が流れる。従って、本実施形態の構成は、本実施形態の構成を採らない場合に比べて、対物レンズの温度分布の不均一が抑制される。
【００５２】
また、以下のように構成することにより、さらに積極的に対物レンズの温度分布の不均一を抑制することが可能である。対物レンズの温度分布の不均一をもっとも抑制するフォーカス制御電流及びトラッキング制御電流は、ボビンに対して流入する各コイルからの熱量を同一にするような各コイルの抵抗の逆比の２乗根比で決まる。よって、フォーカス制御電流とトラッキング制御電流の比が一定になるように、不足側に付加電流を印加すればよい。しかし、単なるＤＣ値では、アクチュエータ可動部が不要に変位してしまうので、サーボカットオフ周波数より十分高く、サーボによってアクチュエータ動作が抑圧されず、かつ、光ディスクからの検出信号が劣化しない範囲の周波数及び振幅の付加電流をコイルに入力し、付加電流をコイル上では駆動力ではなく、熱のみに変換するようにすればよい。この手法を用いることで、対物レンズでの温度分布の不均一が抑制され、対物レンズの収差劣化が抑制される。
【００５３】
なお、本実施形態では、ボビンの素材は樹脂製であるとしたが、熱伝導性が高い樹脂から構成されることが好ましい。ここで、熱伝導性が高いとは、方向によらず対物レンズ７１に同一量の熱が伝導する、すなわち、対物レンズ７１の円周方向温度分布がほぼ均一となる程度にボビン７２の対物レンズ支持部の温度がほぼ均一となる程度の熱伝導性を有していることを指す。このようなボビンを用いることにより、対物レンズ７１の温度分布の均一化が進み、対物レンズ７１のレンズ特性の劣化が効果的に抑制される。
【００５４】
なお、本実施形態では、ボビン７２は、上面視正方形状の、略直方体形状を有し、各側面上にフォーカスコイルとトラッキングコイルを交互に配置するとしたが、これに限られず、ボビンが、４以上の偶数個の側面を有し、複数のコイルが、各側面に交互に配置されたフォーカスコイルとトラッキングコイルを有するように構成してもよい。この場合でも、本実施形態と同様の結果が得られる。
【００５５】
また、ボビンの形状が正ｎ角柱、または、円柱であり、コイルが配置面の図芯または光軸の周囲に等角度間隔で配置されていればより好ましいが、特にこれには限られない。
【００５６】
（第３実施形態）
以下、本発明に係る第３実施形態のピックアップ装置を説明する。本実施形態のピックアップ装置に係るアクチュエータは、ディスクと対向する対物レンズと、第１の側面と、第１の側面と対向する第２の側面とを有し、対物レンズを支持するボビンと、前記第１の側面上に配置された第１コイルと第２コイルと、前記第２の側面上に配置された第３コイルと第４コイルと、を備えている。第１コイル及び第３コイルは、前記対物レンズの光軸上の点を中心としてそれぞれ点対称位置に配置され、かつ互いに電気的に接続されており、第２コイル及び第４コイルは、前記光軸上の点を中心としてそれぞれ点対称位置に配置され、かつ互いに電気的に接続されている。以下、図面を参照しながら詳細に説明する。
【００５７】
図１３は、本発明に係る第３実施形態のピックアップ装置のアクチュエータ固定部２０とアクチュエータ可動部８０の分解斜視図である。本実施形態においては、第１，２実施形態で用いた部材と同一の部材については、同一の符号を付し、部材についての詳細な説明を省略する。
【００５８】
アクチュエータ固定部２０とアクチュエータ可動部８０との間は、４本の長手状弾性部材２１ａ〜２１ｄで接続されている。これらの長手状弾性部材２１ａ〜２１ｄは、アクチュエータ可動部８０を光ディスク５に近づく方向（以下、フォーカス方向）及び光ディスク５の径方向（以下、トラッキング方向）に微少変位可能に保持している。また、これらの長手状弾性部材２１ａ〜２１ｄは、導電性の素材から構成されアクチュエータ可動部８０に電力を供給する配線としても機能する。長手状弾性部材２１ａ〜２１ｄのアクチュエータ固定部２０側端部は、それぞれアクチュエータ固定部２０に形成された配線パターンに半田付けされており、駆動源から電力を長手状弾性部材２１ａ〜２１ｄを介してアクチュエータ可動部８０に供給可能に構成されている。
【００５９】
図１４は、アクチュエータ可動部８０の概略構成を示す上面図である。アクチュエータ可動部８０は、対物レンズ８１、ボビン８２、プリント基板８３ａ，８３ｂにより構成されている。ボビン８２は、上面視長方形状の樹脂製の部材で構成されており、内部に中空が形成されている。ボビン８２は、光ディスク５の周方向にそれぞれほぼ直交するように配置された２つの側面８２ａ〜８２ｂを有している。
【００６０】
ボビン８２の上面には、対物レンズ８１がボビン上面図芯と対物レンズ光軸が一致するように接着固定されている。対物レンズ８１は、上面視円形形状を有し、ボビン８２の下方に位置する図視せぬ光源から出射した所定の波長の光を絞り込み、光ディスク５の情報記録面上に形成されたトラックに沿って照射する。また、対物レンズ８１は、光ディスク５の情報記録面にて反射した光を受光し、図示せぬ受光素子を有する受光部に送る。
【００６１】
ボビン８２のディスク５の径方向側には、長手状弾性部材２１ａ〜２１ｄの端部を固定するための固定部８６ａ〜８６ｄがそれぞれ突出成型されている。ボビン８２は、この固定部８６ａ〜８６ｄにて長手状弾性部材２１ａ〜２１ｄにより微少変位可能に支持されている。
【００６２】
ボビン８２の側面８２ａ，８２ｂ上には、プリント基板８３ａ、８３ｂがそれぞれ対向して配置されている。プリント基板８３ａには、長手方向に並べられたトラッキングコイル８４ａ及びフォーカスコイル８５ａが形成されており、プリント基板８３ｂには、長手方向に並べられたトラッキングコイル８４ｂ及びフォーカスコイル８５ｂが形成されている。プリント基板８３ａのトラッキングコイル８４ａは、プリント基板８３ｂのフォーカスコイル８５ｂに、また、プリント基板８３ａのフォーカスコイル８５ａは、プリント基板８３ｂのトラッキングコイル８４ｂに、それぞれ対向している。トラッキングコイル８４ａ及び８４ｂ、並びに、フォーカスコイル８５ａ及び８５ｂは、それぞれ対物レンズ８１の光軸上の点を中心としてそれぞれ点対称位置に配置されている。
【００６３】
これらのトラッキングコイル８４ａ，８４ｂおよびフォーカスコイル８５ａ，８５ｂは、同一線径で同一の直流抵抗となるように同一巻数で巻回されている。トラッキングコイル８４ａ，８４ｂは、ほぼ楕円形状に巻回されており、長軸方向がフォーカス方向とほぼ並行となるように配置されている。また、フォーカスコイル８５ａ，８５ｂは、ほぼ楕円形状に巻回されており、長軸方向がトラッキング方向とほぼ並行となるように配置されている。
【００６４】
トラッキングコイル８４ａ，８４ｂの長軸方向部分は、磁石部材１１１が形成する磁束成分に直交する方向にコイル線が配置されている。トラッキングコイル８４ａ及び８４ｂに電流を流すと、各コイルの長軸方向成分を流れる電流と磁石部材１１が形成する磁束成分との相互作用により駆動力が生じ、電流の流れる方向に応じてアクチュエータ可動部８０をトラッキング方向に往復移動させる。
【００６５】
また、フォーカスコイル８５ａ，８５ｂの長軸方向部分は、磁石部材１１１が形成する磁場成分に直交する方向にコイル線が配置されている。トラッキングコイル８５ａ，８５ｂに電流を流すと、各コイルの長片部分を流れる電流と磁石部材１１１が形成する磁場成分の相互作用による駆動力が生じ、電流の流れる方向に応じてアクチュエータ可動部８０をフォーカス方向に往復移動させる。
【００６６】
一般的に、フォーカス制御量に対応するディスク１の面振れ量、及びトラッキング制御量に対応するトラック偏心量がどちらかだけゼロであることはあり得ない。従って、本実施形態において、通常のフォーカス制御、トラッキング制御を行う場合、トラッキングコイル８３ａ，８３ｂ及びフォーカスコイルに８３ａ，８３ｂには、何らかの制御電流が流れる。従って、本実施形態の構成のように、トラッキングコイル８４ａ及び８４ｂ、並びに、フォーカスコイル８５ａ及び８５ｂが、それぞれ対物レンズ８１の光軸上の点を中心としてそれぞれ点対称位置に配置されている場合には、本実施形態の構成を採らない場合に比べて、対物レンズの温度分布の不均一が抑制される。
【００６７】
また、以下のように構成することにより、さらに積極的に対物レンズの温度分布の不均一を抑制することが可能である。対物レンズの温度分布の不均一をもっとも抑制するフォーカス制御電流及びトラッキング制御電流は、ボビンに対して流入する各コイルからの熱量を同一にするような各コイルの抵抗の逆比の２乗根比で決まる。よって、フォーカス制御電流とトラッキング制御電流の比が一定になるように、不足側に付加電流を印加すればよい。しかし、単なるＤＣ値では、アクチュエータ可動部が不要に変位してしまうので、サーボカットオフ周波数より十分高く、サーボによってアクチュエータ動作が抑圧されず、かつ、光ディスクからの検出信号が劣化しない範囲の周波数及び振幅の付加電流をコイルに入力し、付加電流をコイル上では駆動力ではなく、熱のみに変換するようにすればよい。この手法を用いることで、対物レンズでの温度分布の不均一が抑制され、対物レンズの収差劣化が抑制される。
【００６８】
従って、本実施形態によれば、光ディスクが高密度で高倍速となっても、検出信号が劣化することなく安定して光ディスクの再生動作を行うことが可能となる。
【００６９】
なお、本実施形態では、ボビンの素材は樹脂製であるとしたが、熱伝導性が高い樹脂から構成されることが好ましい。ここで、熱伝導性が高いとは、方向によらず対物レンズ８１に同一量の熱が伝導する、すなわち、対物レンズ８１の円周方向温度分布がほぼ均一となる程度にボビン８２の対物レンズ支持部の温度がほぼ均一となる程度の熱伝導性を有していることを指す。このようなボビンを用いることにより、対物レンズ８１の温度分布の不均一性がさらに発生しにくくなり、対物レンズ８１のレンズ特性の劣化が効果的に抑制される。
【００７０】
なお、本実施形態では、プリント基板８３ａ，８３ｂ上にそれぞれ二つのコイルを配置する形状としたが、これに限られず、プリント基板上に３つ以上のコイルを配置するように構成してもよい。
【図面の簡単な説明】
【図１】第１実施形態のピックアップ装置を示す斜視図である。
【図２】ピックアップ装置の拡大斜視図である。
【図３】ピックアップ装置の分解斜視図である。
【図４】アクチュエータアクチュエータ固定部とアクチュエータ可動部の分解斜視図である。
【図５】トラッキングコイルに流れる電流方向と磁石により形成された磁束の方向を示す図である。
【図６】アクチュエータ可動部と磁石の関係を示す図である。
【図７】（ａ）及び（ｂ）は、第１実施形態の第１変形例のアクチュエータ可動部を示す上面図及び斜視図である。
【図８】（ａ）及び（ｂ）は、第１実施形態の第２変形例のアクチュエータ可動部を示す上面図及び斜視図である。
【図９】第２実施形態のピックアップ装置を示す斜視図である。
【図１０】アクチュエータ固定部とアクチュエータ可動部の分解斜視図である。
【図１１】アクチュエータ可動部の概略構成を示す上面図である。
【図１２】アクチュエータ可動部と磁石の関係を示す図である。
【図１３】第３実施形態のピックアップ装置のアクチュエータ固定部とアクチュエータ可動部の分解斜視図である。
【図１４】アクチュエータ可動部の概略構成を示す上面図である。
【符号の説明】
１　　　光ピックアップ装置
２　　　ピックアップボディ
３　　　ガイドシャフト
４　　　スピンドルモータ
５　　　光ディスク
６　　　アクチュエータ
１０　　ヨーク
１１　　磁石部材
２０　　アクチュエータ固定部
３０，４０，５０，６０，７０，８０　アクチュエータ可動部
３１，４１，５１，６１，７１，８１　対物レンズ
３２，４２，５２，６２，７２，８２　ボビン
【図１】
2004110985.tif 000003
【図２】
2004110985.tif 000004
【図３】
2004110985.tif 000005
【図４】
2004110985.tif 000006
【図５】
2004110985.tif 000007
【図６】
2004110985.tif 000008
【図７】
2004110985.tif 000009
【図８】
2004110985.tif 000010
【図９】
2004110985.tif 000011
【図１０】
2004110985.tif 000012
【図１１】
2004110985.tif 000013
【図１２】
2004110985.tif 000014
【図１３】
2004110985.tif 000015
【図１４】
2004110985.tif 000016